【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
両電極の間で電圧降下が可能な一対の電極と、前記電極間の多孔質誘電材料と、前記多孔質誘電材料に流体で連絡する導管とを備える界面動電デバイスにおいて、
前記電極が、少なくとも１０−４ファラド／ｃｍ２の静電容量を有する材料から構成されることを特徴とする、界面動電デバイス。
【請求項２】
請求項１に記載のデバイスにおいて、前記静電容量が、１０−４ファラド／ｃｍ２である、デバイス。
【請求項３】
請求項１に記載のデバイスにおいて、前記電極が炭素から構成される、デバイス。
【請求項４】
両電極の間で電圧降下が可能な一対の電極と、前記電極間の多孔質誘電材料と、前記多孔質誘電材料に流体で連絡する導管とを備える界面動電デバイスにおいて、
前記電極が、少なくとも１０−４ファラド／ｃｍ２の静電容量を有する材料から構成され、また、前記電極が、炭素エーロゲルを含浸させたカーボン紙であることを特徴とする、界面動電デバイス。
【請求項５】
請求項１に記載のデバイスにおいて、前記電極が酸化ルテニウムから構成される、デバイス。
【請求項６】
請求項１に記載のデバイスにおいて、前記電極が、実質的に固体の酸化還元対から構成される、デバイス。
【請求項７】
請求項１に記載のデバイスにおいて、前記電極が、実質的に固体の酸化還元材料から構成される、デバイス。
【請求項８】
両電極の間で電圧降下が可能な一対の電極と、前記電極間の多孔質誘電材料と、前記多孔質誘電材料に流体で連絡する導管とを備える界面動電デバイスにおいて、
前記電極が、少なくとも１０−４ファラド／ｃｍ２の静電容量を有する材料から構成され、また、前記界面動電デバイスが積層されることを特徴とする、界面動電デバイス。
【請求項９】
請求項１に記載のデバイスにおいて、前記静電容量が、流体中の誘導過程の発生より前に、充電される、デバイス。
【請求項１０】
請求項１に記載のデバイスにおいて、少なくとも１ｍｌ／分の流量で流れを作ることができる、デバイス。
【請求項１１】
両電極間で電圧降下が可能な一対の電極と、前記電極間の多孔質誘電材料と、前記多孔質誘電材料に流体で連絡する導管とを備える界面動電デバイスにおいて、
前記電極が支持体を備え、当該支持体が前記電極及び前記多孔質誘電材料を間にはさむことにより、前記電極に電流束があるときに、前記電流束が実質的に均一となり、前記電極が、少なくとも１０−４ファラド／ｃｍ２の静電容量を有する材料から構成されることを特徴とする、デバイス。
【請求項１２】
請求項１１に記載のデバイスにおいて、前記支持体及び前記多孔質誘電材料が、それぞれ流動抵抗を有し、前記支持体の材料の前記流動抵抗が、前記多孔質誘電材料の材料の前記流動抵抗よりも小さい、デバイス。
【請求項１３】
一対の電極と、前記電極間の多孔質誘電材料とを備える界面動電デバイスにおいて、
前記電極が、透過して流れるように設計され、また前記電極が、前記多孔質誘電材料に十分に近いことにより、前記電極間で電圧降下があると、前記多孔質誘電材料中の前記電圧降下が、前記電極間の前記電圧降下の少なくとも１０％であり、前記多孔質誘電材料が無機物であり、前記界面動電デバイスが、少なくとも１ｍｌ／分の流量で流れを作ることができることを特徴とする、デバイス。
【請求項１４】
請求項１３に記載のデバイスにおいて、前記多孔質誘電材料中の前記電圧降下が、前記電極間の前記電圧降下の少なくとも５０％である、デバイス。
【請求項１５】
請求項１３に記載のデバイスにおいて、前記多孔質誘電材料中の前記電圧降下が、前記電極間の前記電圧降下の少なくとも８５％である、デバイス。
【請求項１６】
請求項１３に記載のデバイスにおいて、前記多孔質誘電材料及び前記電極の間にスペーサを含む、デバイス。
【請求項１７】
請求項１６に記載のデバイスにおいて、前記多孔質誘電材料及び前記スペーサが、それぞれ流動抵抗を有し、前記スペーサの前記流動抵抗が、前記多孔質誘電材料の前記流動抵抗よりも小さい、デバイス。
【請求項１８】
請求項１３に記載のデバイスにおいて、前記電極及び前記多孔質誘電材料が、それぞれ流動抵抗を有し、前記電極の前記流動抵抗が、前記多孔質誘電材料の前記流動抵抗よりも小さい、デバイス。
【請求項１９】
界面動電ポンプシステムであって、
（ａ）第１の流路と、
（ｂ）前記第１の流路から間があけられる、第２の流路と、
（ｃ）界面動電ポンプとを備え、
当該界面動電ポンプが、
（ｉ）前記第１の流路に接触する第１の隔膜であって、当該第１の隔膜が可撓性で不浸透性である、第１の隔膜と、
（ｉｉ）前記第２の流路に接触する第２の隔膜であって、当該第２の隔膜が可撓性で不浸透性であり、前記第１の隔膜から間があけられる、第２の隔膜と、
（ｉｉｉ）一対の間があいた電極であって、少なくとも１０−４ファラド／ｃｍ２の静電容量を有し、前記両隔膜の間に配置される、電極と、
（ｉｖ）前記電極の間に配置される多孔質誘電材料とから構成される、界面動電ポンプシステム。
【請求項２０】
請求項１９に記載のシステムにおいて、前記第１の流路は、さらに第１の流体入口及び第１の流体出口から構成され、前記第２の流路は、さらに第２の流体入口及び第２の流体出口から構成され、前記第１の隔膜は、前記第１の入口と前記第１の出口との間で、前記第１の流路に接触しており、前記第２の隔膜は、前記第２の入口と前記第２の出口との間で、前記第２の流路に接触しており、前記システムはさらに、
（ａ）前記第１の入口及び前記第１の隔膜の間の第１の流れ制限デバイスと、
（ｂ）前記第１の隔膜及び前記第１の入口の間の第２の流れ制限デバイスと、
（ｃ）前記第２の入口及び前記第２の隔膜の間の第３の流れ制限デバイスと、
（ｄ）前記隔膜及び前記第２の入口の間の第４の流れ制限デバイスとを備えており、
流体が、前記両入口を通ってのみ前記両流路を流れ込むことができ、また流体が、前記両出口を通ってのみ流れ出ることができる、システム。
【請求項２１】
界面動電デバイスであって、
（ａ）ゼータ電位を有し、内面及び外面を有する第１の多孔質誘電材料と、
（ｂ）反対のゼータ電位を有し、内面及び外面を有する第２の多孔質誘電材料と、
（ｃ）前記第１の多孔質誘電材料又は前記第２の多孔質誘電材料に液体で連絡する導管と、
（ｄ）前記第１の多孔質誘電材料及び前記第２の多孔質誘電材料の間に配置され、前記両多孔質誘電材料のそれぞれの前記内面に隣接する、第１の電極と、
（ｅ）前記第１の多孔質誘電材料の前記外面に隣接して配置される、第２の電極と、
（ｆ）前記第２の多孔質誘電材料の前記外面に隣接して配置される、第３の電極とを備えており、
これらの電極は、少なくとも１０−４ファラド／ｃｍ２の静電容量を有する、界面動電デバイス。
【請求項２２】
界面動電デバイスであって、
（ａ）多孔質誘電材料の複数のシートと、
（ｂ）複数の電極であって、一の電極が、多孔質誘電材料の二つの隣接するシートの間毎に配置され、多孔質誘電材料のそれぞれのシートが、ある値のゼータ電位を有し、前記ある値が、多孔質誘電材料の隣接するシートのゼータ電位の値の符号と反対である符号を有する、複数の電極と、
（ｃ）前記多孔質誘電材料の複数のシートに液体で連絡する導管とを備えており、
前記電極が、少なくとも１０−４ファラド／ｃｍ２の静電容量を有する、界面動電デバイス。
【請求項２３】
界面動電ポンプシステムにおいて、
（ａ）室と、
（ｂ）前記室内の界面動電ポンプであって、当該界面動電ポンプが、第１の電極及び第２の電極、及び前記両電極の間の多孔質誘電材料を含み、前記多孔質誘電材料が、前記室を第１の区画及び第２の区画に分割する、界面動電ポンプと、
（ｃ）それぞれ前記第１の区画及び前記第２の区画に入る第１の流体入口導管及び第２の流体入口導管と、
（ｄ）それぞれ前記第１の区画及び前記第２の区画から出る第１の流体出口導管及び第２の流体出口導管と、
（ｅ）それぞれの導管中の流れ制限デバイスとを備えており、流れは、前記流体入口導管を通ってのみ前記ポンプに流れ込むことができ、前記流体出口導管を通ってのみ前記ポンプから流れ出ることができる、界面動電ポンプシステム。
【請求項２４】
請求項２３に記載のシステムにおいて、これらの電極が、少なくとも１０−４ファラド／ｃｍ２の静電容量を有する、システム。
【請求項２５】
界面動電ポンプシステムにおいて、
（ａ）界面動電ポンプであって、（ｉ）少なくとも１０−４ファラド／ｃｍ２の静電容量を有する一対の電極、及び（ｉｉ）前記電極の間の多孔質誘電体媒質を含む、界面動電ポンプと、
（ｂ）導管と、
（ｃ）前記ポンプ及び前記導管の間の可撓性の障壁部とを含む、界面動電ポンプシステム。
【請求項２６】
熱交換システムにおいて、
（ａ）界面動電ポンプであって、（ｉ）少なくとも１０−４ファラド／ｃｍ２の静電容量を有する一対の間があいた電極、及び（ｉｉ）前記電極の間の多孔質誘電体媒質を含む、界面動電ポンプと、
（ｂ）第１の放熱器及び第２の放熱器と、
（ｃ）前記両放熱器の間の吸熱器と、
（ｄ）導管であって、前記界面動電ポンプ及び前記第１の放熱器の間、前記第１の放熱器及び前記吸熱器の間、前記吸熱器及び前記第２の放熱器の間、前記第２の放熱器及び前記界面動電ポンプの間を、前記導管が通る、導管とを備える熱交換システム。
【請求項２７】
熱交換システムにおいて、
（ａ）界面動電ポンプであって、（ｉ）少なくとも１０−４ファラド／ｃｍ２の静電容量を有する一対の間があいた電極、及び（ｉｉ）前記電極の間の多孔質誘電材料を含む、界面動電ポンプと、
（ｂ）蒸発器と、
（ｃ）凝縮器と、
（ｄ）前記界面動電ポンプから前記蒸発器まで、前記蒸発器から前記凝縮器まで、前記凝縮器から前記界面動電ポンプまでの、導管と、
（ｅ）前記界面動電ポンプ及び前記蒸発器の間に配置される、流れ制限デバイスとを備えることにより、少しの流体も前記蒸発器から前記界面動電ポンプに流れることができない、熱交換システム。
【請求項２８】
熱交換システムにおいて、
（ａ）界面動電ポンプであって、（ｉ）少なくとも１０−４ファラド／ｃｍ２の静電容量を有する一対の間があいた電極、及び（ｉｉ）前記電極の間の多孔質誘電体材料を含む、界面動電ポンプと、
（ｂ）第１の凝縮器及び第２の凝縮器と、
（ｃ）前記両凝縮器の間の蒸発器と、
（ｄ）前記界面動電ポンプ及び前記第１の凝縮器の間、前記第１の凝縮器及び前記蒸発器の間、前記蒸発器及び前記第２の凝縮器の間、及び前記第２の凝縮器及び前記界面動電ポンプの間の、導管とを含む、熱交換システム。
【請求項２９】
ディスペンサにおいて、
（ａ）界面動電ポンプであって、（ｉ）少なくとも１０−４ファラド／ｃｍ２の静電容量を有する一対の間があいた電極、及び（ｉｉ）前記電極の間の多孔質誘電体材料を含む、界面動電ポンプと、
（ｂ）前記ポンプに液体で連絡する貯留部と、
（ｃ）前記貯留部及び前記ポンプに液体で連絡する受入管と、
（ｄ）前記ポンプから前記貯留部への流体の流れを妨げる第１の流れ制限デバイスと、
（ｅ）前記受入管から前記ポンプへの流体の流れを妨げる第２の流れ制限デバイスとを備えており、
前記電極の充電時に、流れは、前記貯留部から前記ポンプへ向かって流れ、前記電極の放電時に、前記流れは、前記ポンプから前記受入管内に流れる、ディスペンサ。
【請求項３０】
請求項１に記載のデバイスを用いる方法であって、前記方法は、
（ａ）前記電極に静電流を適用するステップであって、これによって、前記電極の前記静電容量を充電する、ステップと、
（ｂ）負電流を前記電極に適用するステップとを含む、方法。
【請求項３１】
請求項３０に記載の方法において、前記静電容量が、流体中で誘導過程の発生より前に、充電される、方法。
【請求項３２】
請求項３０に記載の方法において、前記デバイスが、少なくとも１ｍｌ／分の流量で流れを作ることができる、方法。
【請求項３３】
多孔質誘電材料を通って流体をポンピングする方法において、
（ａ）正電流を一対の電極に適用するステップであって、前記電極が、前記多孔質誘電材料及び１０−４ファラド／ｃｍ２の静電容量をはさんでいる、ステップと、
（ｂ）前記多孔質誘電材料を通って流体をポンピングするステップと、
（ｃ）前記電極に負電流を適用するステップとを備える、方法。
【請求項３４】
両電極の間で電圧降下が可能な一対の電極と、前記電極間の多孔質誘電材料と、前記多孔質誘電材料に流体で連絡する導管とを備える界面動電デバイスにおいて、
前記電極が、少なくとも１０−４ファラド／ｃｍ２の静電容量を有する材料から構成され、前記電極が、炭素エーロゲルを含浸させたカーボン紙であり、前記界面動電デバイスが積層されることを特徴とする、界面動電デバイス。
【請求項３５】
一対の電極と、前記電極間の多孔質誘電材料とを備える界面動電デバイスにおいて、
前記電極が、前記多孔質誘電材料に十分に近いことにより、前記電極間で電圧降下があると、前記多孔質誘電材料中の前記電圧降下が、前記電極間の前記電圧降下の少なくとも１０％であり、前記多孔質誘電材料が無機物であり、前記電極が、少なくとも１０−４ファラド／ｃｍ２の静電容量を有する材料から構成され、前記界面動電デバイスが、少なくとも１ｍｌ／分の流量で流れを作ることができることを特徴とする、界面動電デバイス。